(57)【要約】【課題】  患者の体腔等から吸引ポンプの作動で吸引した排液を収容する集液バックと、その下流にオーバフローリザーバ用のクッション瓶３０とを備え、これらを吸引ポンプに配管する気道回路を形成し、集液バックを本体に着脱自在に取り付ける医療用電動式吸引器において、クッション瓶や気道回路の状態を常時目視で確認可能とし、これらの回路部材の洗浄、廃棄、交換を容易に行うことができ、安全性を向上させた医療用電動式吸引器を提案する。【解決手段】  本体１０内に収納した吸引ポンプの吸引口に連通した接続口を本体１０に形成し、この接続口に接続する気道回路の上流に位置する部材（配管チューブ類等）を、露出した状態で本体１０に取り付け、これらの部材が取り外し自在であるとともに分解可能としたことを特徴とする。【選択図】  図８
2006020658.tif 000002
【特許請求の範囲】
【請求項１】
患者の体腔等から吸引ポンプ１５の作動で吸引した排液を収容する集液バック２０と、その下流にオーバフローリザーバ用のクッション瓶３０とを備え、これらを吸引ポンプ１５に配管する気道回路を形成し、集液バック２０を本体１０に着脱自在に取り付ける医療用電動式吸引器において、
本体１０内に収納した吸引ポンプ１５の吸引口に連通した接続口３５を本体１０に形成し、この接続口３５に接続する気道回路の上流に位置する部材（配管チューブ類等）を、露出した状態で本体１０に取り付け、これらの部材が取り外し自在であるとともに分解可能としたことを特徴とする医療用電動式吸引器。
【請求項２】
本体１０に凹部２８、３３、３４を形成し、請求項１に記載の部材を凹部２８、３３、３４に収容するとともに、これらを保持した医療用電動式吸引器。
【請求項３】
本体１０に、吸引圧を調圧する電磁弁４０及び圧力センサ４１の収納室４２を形成し、この収納室４２を蓋する取り外し自在のカバー４３を設け、電磁弁４０及び圧力センサ４１を取り外し可能とした請求項１又は２に記載の医療用電動式吸引器。
【請求項４】
集液バック２０の上辺に沿った一対の取付孔２１に挿通する一対のフック１６を、本体１０の前面に突設し、各フック１６を水平方向の溝１７を無段階にスライド自在とした請求項１、２又は３に記載の医療用電動式吸引器。
【発明の詳細な説明】
【技術分野】
【０００１】
この発明は、患者の体腔等に貯留する気体（空気）及び液体（腹水、血液、膿）を排出するために用いる医療用電動式吸引器に関するものである。
【背景技術】
【０００２】
術後の患者の体腔等から空気、腹水、血液、膿等を吸引ポンプの作動で吸引し、これを
外部に排出する治療に医療用電動式吸引器が使用される。ドレナージを目的とした電動式吸引器で腹腔内に貯留する腹水や胸腔内に貯留する胸水や空気を持続的に排出する用途として、低圧持続吸引器や持続的胸腔ドレナージ等がある。吸引した排液を収容するプラスチック製の集液バックと、その下流にオーバーフローリザーバ用のクッション瓶とを備え、これらを吸引ポンプに配管する気道回路を形成し、本体内に吸引ポンプ及びクッション瓶を収納し、本体前面に、その吸引器専用の集液バックを着脱自在に取り付ける構造が一般的である。そして、吸引ポンプの作動による所定陰圧で腹水等を吸引し、これを集液バックに収容し、この使用済みの集液バックは廃棄処分されるが、本体内のクッション瓶及び気道回路は、特に交換することなく継続的に使用される。
【０００３】
一方、医療用電動式吸引器は、患者の膿等の排液を収集するものであるから、機器内部を細菌等で汚染される潜在的リスクがあり、継続使用される回路部材に対しては、患者ごとに洗浄、消毒処理することが奨励されている。また、集液バックのオーバフロー等により、その下流の回路部材の感染が疑われる場合は、これらを廃棄、交換する必要がある。
【発明の開示】
【発明が解決しようとする課題】
【０００４】
かかる医療用電動式吸引器の洗浄は、シリンジ等で洗浄液を気道回路に注入して行うが、本体内に収納された回路部材は、その様子や効果を目視で確認することができない。また、感染が疑われる回路部材を廃棄するには本体の分解、再組立ての作業が必要とされ、これらの部材の交換が極めて困難であるなど、安全上の課題がある。
【０００５】
この発明は、こうした課題を解決することを目的とするもので、集液バックの下流のクッション瓶や気道回路の状態を常時目視で確認可能とし、回路部材の洗浄、廃棄、交換を容易に行うことができ、安全性の著しい向上を図った医療用電動式吸引器を提案することを目的とするものである。
【課題を解決するための手段】
【０００６】
上記の目的を達成するため、請求項１に記載の構成は、患者の体腔等から吸引ポンプ１５の作動で吸引した排液を収容する集液バック２０と、その下流にオーバフローリザーバ用のクッション瓶３０とを備え、これらを吸引ポンプ１５に配管する気道回路を形成し、集液バック２０を本体１０に着脱自在に取り付ける医療用電動式吸引器において、本体１０内に収納した吸引ポンプ１５の吸引口に連通した接続口３５を本体１０に形成し、この接続口３５に接続する気道回路の上流に位置する部材（配管チューブ類等）を、露出した状態で本体１０に取り付け、これらの部材が取り外し自在であるとともに分解可能としたことを特徴とするものである。
【０００７】
請求項２に記載の構成は、本体１０に凹部２８、３３、３４を形成し、上記の部材を凹部２８、３３、３４に収容するとともに、これらを保持するものである。
【０００８】
請求項３に記載の構成は、本体１０に、吸引圧を調圧する電磁弁４０及び圧力センサ４１の収納室４２を形成し、この収納室４２を蓋する取り外し自在のカバー４３を設け、電磁弁４０及び圧力センサ４１を取り外し可能とするものである。
【０００９】
請求項４に記載の構成は、集液バック２０の上辺に沿った一対の取付孔２１に挿通する一対のフック１６を、本体１０前面に突設し、各フック１６を水平方向の溝１７を無段階にスライド自在とするものである。
【発明の効果】
【００１０】
請求項１の構成によれば、従来本体１０内に収納されていたクッション瓶３０や配管チューブ類が、露出した状態で本体１０に取り付けられ、その状態を常時目視で確認可能である。また、これらの継続使用される回路部材に直接アクセス可能であり、本体１０から取り外して分解し、個別に洗浄することができ、集液バック２０のオーバフロー等により感染が疑われる場合は、簡単に廃棄、交換することができ、安全性の著しい向上を図ることができる。
【００１１】
請求項２の構成によれば、凹部２８、３３、３４にクッション瓶３０や配管チューブ類が収容、保持され、本体１０に邪魔な突出部を無くすとともに、運搬時の振動等による外れや離脱を防止することができる。
【００１２】
請求項３の構成によれば、電磁弁４０及び圧力センサ４１の汚染が疑われる場合に、カバー４３を取り外してこれらの洗浄、交換を容易に行うことができる。
【００１３】
請求項４の構成によれば、集液バック２０の取付孔２１の間隔に応じてフック１６をスライドさせ、フック１６の間隔を自由に設定することができ、専用のものに限定されずに様々な取り付け間隔の集液バック２０が使用可能であり、汎用性の向上を図ることができる。
【発明を実施するための最良の形態】
【００１４】
以下にこの発明の最良の実施形態について、図面を用いて具体的に説明する。
図面は、吸引ポンプの作動による所定陰圧で腹水等を持続的に排出する電動式低圧持続吸引器に、この発明を適用したもので、図１は側面図、図２は背面図、図３は平面図、図４は正面図である。図に示すように、膨出成形したフロントパネル１１とリヤパネル１２を接合して本体１０が形成され、上面に運搬用の把手１３を設け、本体１０内に、吸引ポンプ１５、所定制御回路からなるコントローラ、非常時用のバッテリ等を収納している。
【００１５】
フロントパネル１１の前面に、一方の接続口を吸引カテーテルと接続する集液バック２０が取り付けられ、集液バック２０の上辺に沿った一対の取付孔２１に、フロントパネル１１の前面上部に突設した一対のフック１６を挿通し、集液バック２０は着脱自在とされている。フロントパネル１１の上面には、操作用タッチボタン、運転状態を示す液晶表示部等を設けた操作パネル１９が形成され、リヤパネル１２の上面端部に陽圧防止弁２５が取り付けられ、集液バック２０の他方の接続口と陽圧防止弁２５がチューブ２６で接続される。
【００１６】
リヤパネル１２の左半部に、十分な奥行きで上面に至る凹部２８が形成され、凹部２８の下半の空間に、クランプ３１で保持してクッション瓶３０が収容される。陽圧防止弁２５とクッション瓶３０はチューブ２９で接続され、陽圧防止弁２５から垂下するチューブ２９は凹部２８の上半の空間に収容されている。
【００１７】
リヤパネル１２の右半部下半位置に、同じく十分な奥行きの凹部３４が形成され、凹部３４の底面に、吸引ポンプ１５の吸引口に連通した接続口３５が形成されている。この接続口３５に除菌フィルター３６が取り付けられ、クッション瓶３０と除菌フィルター３６がチューブ３２で接続される。チューブ３２は、凹部２８と凹部３４を連通する湾曲した凹溝３３に埋設され、離脱することがないように係止されている（図８参照）。
【００１８】
リヤパネル１２の右半部上方位置には、吸引圧を調圧する電磁弁４０とこの電磁弁４０に接続した圧力センサ４１の収納室４２が形成され、電磁弁４０はチューブ４４でチューブ２９に連通されている。この収納室４２を蓋する取り外し自在のカバー４３が設けられ、図５に示すように、カバー４３を取り外すことで、電磁弁４０及び圧力センサ４１を取り外し可能としている。
【００１９】
図６に、フロントパネル１１の上部を示す。図において、集液バック２０の取付孔２１に挿通する一対のフック１６は、水平方向の溝１７を無段階にスライド自在とされ、摘み１８の回転でロック解除され、各フック１６が独立してその横方向位置を設定可能とされている。したがって、集液バック２０の取付孔２１の間隔に応じてフック１６の間隔を自由に設定することができ、様々な取り付け間隔の集液バック２０を使用可能としている。
【００２０】
図７に、この電動式低圧持続吸引器の気道回路の全体を示す。図に示すように、気道回路の上流から、集液バック２０、陽圧防止弁２５、クッション瓶３０、除菌フィルター３６の順に接続され、配管チューブ類を含むこれらの部材が全て露出した状態で本体１０に取り付けられ、また、これらの部材は取り外し自在であるとともに分解可能である。除菌フィルター３６は気道回路の最下流に位置し、本体１０内の吸引ポンプの汚染が防止される。
【００２１】
図８は、集液バック２０を取り付ける前の状態を示す斜視図である。図に示すように、凹部２８、凹溝３３、凹部３４に、クッション瓶３０、除菌フィルター３６、配管チューブ類が収容、保持され、リヤパネル１２には邪魔な突出部が無く、露出した状態であるからこれらの回路部材に直接アクセス可能である。
【００２２】
以上、電動式低圧持続吸引器におけるこの発明の適用例について説明したが、この発明は、同様の構成の他の医療用電動式吸引器に適用可能である。
【図面の簡単な説明】
【００２３】
【図１】この発明の実施例の側面図
【図２】背面図。
【図３】平面図。
【図４】正面図。
【図５】カバーを取り外した状態の背面上部を示す説明図。
【図６】正面上部を示す説明図。
【図７】気道回路の全体を示す説明図。
【図８】集液バックを取り付ける前の状態の斜視図。
【符号の説明】
【００２４】
１０  本体
１５  吸引ポンプ
１６  フック
１７  溝
２０  集液バック
２１  取付孔
２８、３３、３４  凹部
３０  クッション瓶
３５  接続口
４０  電磁弁
４１  圧力センサ
４２  収納室
４３  カバー
【図１】
2006020658.tif 000003
【図２】
2006020658.tif 000004
【図３】
2006020658.tif 000005
【図４】
2006020658.tif 000006
【図５】
2006020658.tif 000007
【図６】
2006020658.tif 000008
【図７】
2006020658.tif 000009
【図８】
2006020658.tif 000010